Podtech/llm-jp-corpus-v4-ja_patent huggingface dataset:
(57)【要約】【課題】ステンレス鋼表面に対する電解研磨法において、交流及び直流及び交直重畳で使用できると共に、オーステナイト系ステンレス鋼だけでなくマルテンサイト系、フェライト系ステンレス鋼でも耐腐食性能を向上させる電解液を提供する。【解決手段】０．１重量％以上の燐酸、クエン酸、酒石酸、シュウ酸、リンゴ酸、酢酸、グルコン酸、グリコール酸、コハク酸などステンレス鋼に対して非酸化性に働く酸および硫酸からなる群、ならびに、これら酸のナトリウム、カリウム、アンモニウムなどの各塩の群のうちの一種または二種以上の水溶液に、０．１重量％以上のトリエタノールアミン、ジエタノールアミンおよびモノエタノールアミンのうちの一種または二種以上を配合するステンレス鋼の電解研磨法に用いる電解液。【選択図】なし【特許請求の範囲】
【請求項１】
０．１重量％以上の燐酸、クエン酸、酒石酸、シュウ酸、リンゴ酸、酢酸、グルコン酸、グリコール酸、コハク酸などステンレス鋼に対して非酸化性に働く酸および硫酸からなる群、ならびに、これら酸のナトリウム、カリウム、アンモニウムなどの各塩の群のうちの一種または二種以上の水溶液に、０．１重量％以上のトリエタノールアミン、ジエタノールアミンおよびモノエタノールアミンのうちの一種または二種以上を配合することを特徴とするステンレス鋼の電解研磨法に用いる電解液。
【発明の詳細な説明】
【技術分野】
【０００１】
この発明は、ステンレス鋼の溶接後の焼け取り等のために行われるステンレス鋼表面に対する電解研磨で使用する電解液の組成に関するものである。
【背景技術】
【０００２】
金属加工法として金属を電解液と接触させながら直流又は交流電圧を印加して加工する電解加工が広く用いられており、ステンレス鋼においても、例えばステンレス鋼の溶接後の焼け取り部分を表面研磨する方法として電解加工による電解研磨法が行なわれている。
【０００３】
また、金属と電解液を接触させる方法も、電解液に被研磨材となる金属（ワーク）を浸漬させる浸漬式や、電極とワークの間に天然または合成の不織布を置いた簡易式がある。
【０００４】
現在まで使用されてきた電解液としては、交流、直流、交直重畳にかかわらず、また、浸漬式、簡易式等の方式を問わず、硫酸、燐酸、クエン酸、酒石酸、シュウ酸、リンゴ酸、酢酸、グルコン酸、グリコール酸、コハク酸、フッ化水素酸もしくはそれらのアンモニウム、カリウム、ナトリウム塩の一種もしくは二種以上の塩を配合したものを電解液として利用してきた（例えば、特許文献１、特許文献２参照）。
【特許文献１】特許第３４８４５２５号公報
【特許文献２】特開２００３−８２４９５号公報
【発明の開示】
【発明が解決しようとする課題】
【０００５】
しかし、上記従来の電解液を用いたものでは電解後、特にオーステナイト系ステンレス鋼では孔食などの腐食がおきる危険性があった。
【０００６】
また、特許文献１にあるように、非酸化性の酸のナトリウム塩、アンモニウム塩、カリウム塩に水溶性フッ化物を添加して表面にフッ化不動態膜を形成させるような方法が考案されているが、処理後の美観の問題やフェライト系ステンレス鋼に使用して塩水噴霧試験を行った場合に全面腐食を増大させる危険性があった。
【０００７】
そこで、上記のような課題を解決し、どのような鋼種のステンレスでも上記の課題をもっと効果的に解決できる様な電解液を得るべく種々の材料を検討することによって本発明に至ったものである。
【課題を解決するための手段】
【０００８】
上記の課題を解決するため、この発明は、０．１重量％以上の燐酸、クエン酸、酒石酸、シュウ酸、リンゴ酸、酢酸、グルコン酸、グリコール酸、コハク酸などステンレス鋼に対して非酸化性に働く酸および硫酸からなる群、ならびに、これら酸のナトリウム、カリウム、アンモニウムなどの各塩の群のうちの一種または二種以上の水溶液に、０．１重量％以上のトリエタノールアミン、ジエタノールアミンおよびモノエタノールアミンのうちの一種または二種以上を配合するステンレス鋼の電解研磨法に用いる電解液である。
【発明の効果】
【０００９】
この発明の電解液は、ステンレス鋼の電解研磨において交流及び直流及び交直重畳で使用できると共に、どのような鋼種のステンレスでも耐食性と処理後の美観を向上させることができ経済的である。
【発明を実施するための最良の形態】
【００１０】
電極の先の不織布に、（１）２０重量％のピロリン酸ナトリウム水溶液、（２）２０重量％のピロリン酸カリウム水溶液、（３）２０重量％のピロリン酸にジエタノールアミンで中和した水溶液を、それぞれ電解液として染み込ませ、オーステナイト系ステンレス鋼であるＳＵＳ３０４（３０ｍｍ×９０ｍｍ×１．６ｍｍ）に押し当て２０Ｖの交流電流を印加した後、表面の状態を比較してみた。
【００１１】
尚、表面状態の比較後、オーステナイト系ステンレスであるＳＵＳ３０４（３０ｍｍ×９０ｍｍ×１．６ｍｍ）の試験片は６重量％の塩化第二鉄水溶液に浸漬し２４時間後の重量減を計測した。
【００１２】
（１）２０重量％のピロリン酸ナトリウム水溶液、（２）２０重量％のシュウ酸カリウム水溶液で交流電解処理した後に６重量％の塩化第二鉄水溶液に浸漬したＳＵＳ３０４試験片の減少率は、それぞれ１．７重量％、１．９重量％、であったが、（３）２０重量％のピロリン酸をジエタノールアミンで中和した水溶液を電解液として処理した試験片では僅か１．４％にすぎなかった。
【００１３】
また、モノエタノールアミンやトリエタノールアミンや他の酸でも同様の結果がでたので、請求項１にあるように、０．１重量％以上の燐酸、クエン酸、酒石酸、シュウ酸、リンゴ酸、酢酸、グルコン酸、グリコール酸、コハク酸などステンレス鋼に対して非酸化性に働く酸および硫酸からなる群の酸に、０．１重量％以上のトリエタノールアミン、ジエタノールアミンおよびモノエタノールアミンのうちの一種または二種以上を配合することで、耐孔食性が飛躍的に向上する事が分かった。また基材をそれらの酸のナトリウム、カリウム、アンモニウムなどの各塩にした場合でも同様の傾向が判明した。そしてアミンの量は増やせば効果は比例的に向上する。
(57)【要約】【課題】操作する者に対面する対面者が容易に数値情報を見ることができる対面者用の表示部を有する卓上計算機を提供する。【解決手段】操作面1は、操作する者が操作する入力キー２が設けられる面、第１の表示部３は、操作面１上に設けられ、図示されない操作する者が見ることができるように数値情報４を表示する部分、延長面５は、操作する者と対面する対面者側の操作面１の端部１ａに延長して設けられる面、第２の表示部６は、延長面５上に設けられ、対面者が見ることができるように数値情報７を第１の表示部３の数値情報４と対称に表示する部分である。【選択図】図１
2007102411.tif 000002
【特許請求の範囲】
【請求項１】
操作する者が操作する入力キーが設けられる操作面と、
前記操作面上に設けられ、前記操作する者が見ることができるように数値情報を表示する第１の表示部と、
前記操作する者と対面する対面者側の前記操作面の端部に延長して設けられる延長面と、
前記延長面上に設けられ、前記対面者が見ることができるように前記数値情報を前記第１の表示部の前記数値情報と対称に表示する第２の表示部と、を有することを特徴とする卓上計算機。
【請求項２】
前記第１の表示部は前記操作する者が容易に見ることができるように傾斜して設けられ、前記第２の表示部は前記対面者が容易に見ることができるように傾斜して設けられる請求項１記載の卓上計算機。
【発明の詳細な説明】
【技術分野】
【０００１】
本発明は、操作する者に対面する対面者が容易に見ることができる対面者用の表示部を有する卓上計算機に関する。
【背景技術】
【０００２】
従来、表示部位を複数段に分けて配置することにより、複数の入力値や計算結果を並列表示す可能にする卓上計算機が特開２００１−１８８７６２号公報（特許文献１）にて提案されている。
また、操作面上に数値情報を表示する複数個の表示部を設けた卓上計算機が実開平６−１１０４６号公報（特許文献２）にて提案されている。
【特許文献１】特開２００１−１８８７６２号公報
【特許文献２】実開平６−１１０４６号公報
【発明の開示】
【発明が解決しようとする課題】
【０００３】
しかし、上述の従来例は表示部を複数有するが、操作する者は表示部の数値情報を見ることができるが、操作する者と対面する対面者は、その表示部の数値情報を数列及び上下が逆にしか見ることができなかった。
このため、例えば、営業担当者が操作し、顧客が対面者である場合に、その顧客は表示部に示された数値情報を数列及び上下が逆にしか見ることができず、営業担当者と顧客が表示部に示される数値情報を共有することができず、不便であるという問題点があった。
そこで、本発明は、操作する者に対面する対面者が容易に数値情報を見ることができる対面者用の表示部を有する卓上計算機を提供することを目的とする。
【課題を解決するための手段】
【０００４】
本発明の卓上計算機は、操作する者が操作する入力キーが設けられる操作面と、
前記操作面上に設けられ、前記操作する者が見ることができるように数値情報を表示する第１の表示部と、
前記操作する者と対面する対面者側の前記操作面の端部に延長して設けられる延長面と、
前記延長面上に設けられ、前記対面者が見ることができるように前記数値情報を前記第１の表示部の前記数値情報と対称に表示する第２の表示部と、を有することを特徴とする。
さらに、本発明の卓上計算機は、前記第１の表示部は前記操作する者が容易に見ることができるように傾斜して設けられ、前記第２の表示部は前記対面者が容易に見ることができるように傾斜して設けられる。
【発明の効果】
【０００５】
本発明の卓上計算機によれば、延長面は操作する者と対面する対面者側の操作面の端部に延長して設けられ、第２の表示部は延長面上に設けられる。
第２の表示部は、前記対面者が見ることができるように前記数値情報を前記第１の表示部の前記数値情報と対称に表示する。
このため、例えば、営業担当者が操作し、顧客が対面者である場合に、その顧客は第２の表示部に示された数値情報を数列及び上下が逆ではなく正常に見ることができ、営業担当者と顧客が表示部に示される数値情報を共有することができ便利である。
さらに、本発明の卓上計算機によれば、前記第１の表示部は前記操作する者が容易に見ることができるように傾斜して設けられ、前記第２の表示部は前記対面者が容易に見ることができるように傾斜して設けられる。
このため、操作する者と対面者は、容易に数値情報を見ることができる。
【発明を実施するための最良の形態】
【０００６】
以下、本発明を、その実施例に基づいて、図面を参照して説明する。
【実施例１】
【０００７】
図１を参照して、本発明の実施例１を説明する。
操作面1は、図示されない操作する者が操作する入力キー２が設けられる面である。
第１の表示部３は、操作面１上に設けられ、図示されない操作する者が見ることができるように数値情報４を表示する部分である。
延長面５は、図示されない操作する者と対面する図示されない対面者側の操作面１の端部１ａに延長して設けられる面である。
第２の表示部６は、延長面５上に設けられ、図示されない対面者が見ることができるように数値情報７を第１の表示部３の数値情報４と対称に表示する部分である。
また、第１の表示部３は図示されない操作する者が容易に見ることができるように傾斜して設けられる。
また、第２の表示部６は図示されない対面者が容易に見ることができるように傾斜して設けられる。
ここで、第１の表示部３および第２の表示部６とが同一平面に位置するように操作面１および延長面５が同一平面状に構成する場合もある。  
【図面の簡単な説明】
【０００８】
【図１】本発明の実施例１の平面図である。
【図２】本発明の実施例１の側面図である。
【符号の説明】
【０００９】
１  操作面          ２  入力キー    ３  第１の表示部
４、７  数値情報    ５  延長面      ６  第２の表示部
【図１】
2007102411.tif 000003
【図２】
2007102411.tif 000004
(57)【要約】      （修正有）【課題】学習効率の高い音声再生システムを提供する。【解決手段】入出力制御部４を介して、利用者の脳波を脳波測定器３で測定し、脳波測定値格納部５に格納する。窓関数処理部７は前記格納部の配列データから数値を切り出し、前記数値の範囲に基づきメイン制御部６は再生速度を変更する。【選択図】図１
2007102146.tif 000002
【特許請求の範囲】
【請求項１】
一定の間隔で測定された脳波測定値の配列を窓関数で切り出した値に応じて音声の再生、停止、再生速度の変更、再生する音声の変更および／又は音質を変化させる音声再生プログラム。
【請求項２】
前記脳波測定値の代わりに皮膚電気抵抗測定値を使用することを特徴とする請求項１記載の音声再生プログラム。
【請求項３】
一定の間隔で脳波の測定を行う脳波測定器を備えた音声再生装置において、前記測定値の配列を窓関数で切り出した値に応じて音声の再生、停止、再生速度の変更、再生する音声の変更および／又は音質を変化させる音声再生装置。
【請求項４】
前記脳波測定器の代わりに皮膚電気抵抗測定器を使用することを特徴とする請求項３記載の音声再生装置。
【発明の詳細な説明】
【発明の詳細な説明】
【技術分野】
【０００１】この発明は、学習システムに応用可能な音声再生プログラムおよび音声再生装置に関するものである。
【背景技術】
【０００２】近年技術の陳腐化が以前より速くなり、社員の再教育や受験準備のための学習システムが一般的になってきている。従来の学習システムは、利用者の身体的な状態をまったく反映しないか、あるいは利用者の皮膚電気抵抗を測定し、それに応じて再生、停止を制御するものだった。
【発明が解決しようとする課題】
【０００３】従来の音声再生装置および音声再生プログラムの一部は皮膚電気抵抗を測定し、再生停止の制御を行っていたが、それらはフィードバックとしては不十分であり、特に学習効率を高める効果がなかった。皮膚電気抵抗は筋肉の弛緩の度合い、リラックスの度合いを大まかに反映するもので、リラックスして学習に適した状態なのか、ただ注意散漫な状態なのか判別できない問題点、また皮膚電子抵抗などの測定値は急激に変化するため利用が難しいという問題点があった。この発明は上述の問題点を解決するためになされたもので、この発明の目的の一つは、利用者の脳波を測定することで、利用者の集中している度合い、また学習の適した状態なのかを正確に調べ学習内容、学習の方法に反映し、学習効率を高めることである。たとえば、利用者が講義の音声などを聞いている際に、利用者が集中している時には学習速度を速めることが出来る。また、窓関数を利用することで、皮膚電気抵抗や脳波の急激な変化が、再生速度の変更など再生の制御に反映されないようにした。
【課題を解決するための手段】
【０００４】本発明のある態様は、脳波の計測器を備えた音声再生装置１０である。この音声再生装置は利用者の脳波を測定し、その値の範囲によって利用者が学習に適しているかどうかを判断し、音声を再生する速度を変更する。
【発明の効果】
【０００５】再生速度を脳波測定値と連動させることで、常に学習に適した状態で学習できる。学習速度の短縮も期待される。学生だけでなく社会人の研修などにも利用できる。社員教育のコストを下げることが出来るので、たとえば資金に余裕がない企業などでも高度な社員教育が可能になり、産業全体を活性化することが出来る。家庭用パソコンの場合は、脳波の計測器を接続するだけで実施できるので、低コストで学習効率を改善できる。
【発明を実施するための最良の形態】
【０００６】以下、本発明の実施の形態について説明する。図１は実施の形態に係る、音声再生装置１０の機能ブロック図である。１表示部は現在再生している曲名、脳波の状態などを表示する。２音声再生部は８音声ＤＢに格納された音声を再生する。３脳波測定器は、１秒間に２０回など定められた時間間隔で脳波を測定し、それに対してＡ／Ｄ変換を行い数値としてデータを提供する。４入出力制御部は、利用者のボタン操作などを管理する。５脳波測定値格納部は３によって測定されたデータを格納する。６はメイン制御部であり、各制御部の同期、調整を行う。７窓関数処理部は５に格納されたデータに窓関数処理を行い、急激な変化をなだらかにする。８音声ＤＢは音声を圧縮、あるいはそのままデータ形式で格納する。【０００７】次にデータ構造について説明する。図３は脳波測定値格納部のデータ構造を示す図である。１００測定範囲は脳波の測定範囲であり、アルファ、セータなど測定した範囲を示す。１０１測定値は脳波測定値にＡ／Ｄ変換を行った結果の整数を示す。１０２は計測を行った日時を示す。【０００８】次に処理の流れについて説明する。図２は図１音声再生装置１０の速度変更処理を示すフローチャートである。５脳波測定値格納部は測定された脳波測定値をデータ領域に保存する（Ｓ１０）。７窓関数処理部はデータ領域から窓関数処理によって値を切り出す（Ｓ１１）。６メイン制御部は前記値がＮ以上の場合（Ｓ１２のＮ）再生速度を２倍にする（Ｓ１５）。利用者が再生の停止を指示した場合、（Ｓ１４のＹ）処理は終了する。【０００９】本発明における音声再生装置１０においては指導者がいない環境でも、利用者の状態を調べそれを学習内容に反映させることが出来る。今回開示された実施の形態はすべての点で例示であって制限的なものではない。脳波を複数の箇所で計測するものなど、いろいろな変形例が可能なこと、またそうした変形例も本発明の範囲にあることは当業者に理解されるところである。
【図面の簡単な説明】
【図１】音声再生装置の機能ブロック図である
【図２】再生速度の変更をしながら再生を行う過程を示すフローチャートである
【図３】図１の脳波測定値格納部のデータ構造を示す図である。
【図１】
2007102146.tif 000003
【図２】
2007102146.tif 000004
【図３】
2007102146.tif 000005
(57)【要約】【課題】書道の練習方法【解決手段】従来の方法では、手本の文字を見て手本の形体に近付く様に練習しますが、本方法によれば手本の文字自体に透明な資材（物質）を重ねて手本の文字を直接なぞる方法であり、この方法であれば資材を交換する事により、手本を汚す事なく何回でも練習する事が出来、その成果に見る物が有ると思われます。【特許請求の範囲】
【請求項１】
習字の練習方法の特異なる方法
【請求項２】
習字の練習方法に必要な器材
物質名ビニール及びガラス等又は其の他の透明なる物質
【発明の詳細な説明】
【技術分野】
【０００１】  本発明は手本に透明なる物質を重ね、其の上から手本の文字をなぞる練習法である
【発明の開示】
【発明が解決しようとする課題】
【０００２】  従来の習字の練習方法は、手本を見て僅かでも手本文字同様の形体に近付く可く練習を重ねる方法ですが、其の方法では時間と労力にかなり浪費を見るもので有ります。
よって其の時間及び労力の浪費を軽減する事に有る。
【課題を解決するための手段】
【０００３】  従来の練習方法に頼る事無く、手本に透明なる物質を重ね、それに手本の文字をなぞる練習方である。
【発明の効果】
【０００４】  本発明により手本の文字を直接なぞる事と同様、透明なる器材を交換する事により手本を汚す事なく、練習の進歩が著しいものが有る。
【手続補正書】
【提出日】平成18年5月11日(2006.5.11)
【手続補正１】
【補正対象書類名】特許請求の範囲
【補正対象項目名】請求項２
【補正方法】変更
【補正の内容】
【請求項２】
習字の練習方法に必要な器材
物質名  ビニール及びガラス等又はその他の透明、又は半透明の物質。
尚、手本と重ね使用中滑る事を、又、練習中文字の縮み、墨の流れ等を防止する為、器材の表面を荒らすものもある。
(57)【要約】【課題】従来の技術によれば、小売等とメーカー等との情報の共有化ができず、協働した活動による有効な販売戦略をとることが困難であった。【解決手段】店舗から日々追加・更新される売上データを集計・蓄積し、その集計結果を売上分析に有効なデータとして変換・加工し、データベースに蓄積し、インターネット上でダウンロード可能なデータとして公開することにより、情報を小売等とメーカー等で共有し、双方で分析を行うことにより立案した販売戦略を知財データとしてデータベースを構築し、この情報を店頭担当者、広報担当者等に公開することにより、効率的な販売活動と広報活動を支援することを実現する。【選択図】図３
2007102745.tif 000002
【特許請求の範囲】
【請求項１】
第一発明は、店舗から日々追加・更新される売上データを集計・蓄積し、その集計結果を売上分析に有効なデータとして変換・加工し、データベースに蓄積し、インターネット上でダウンロード可能なデータとして公開することにより、情報の共有化を図るためのＰＯＳデータ開示システムである。
【請求項２】
第二発明は、公開されたＰＯＳ情報をもとに、過去のＭＤ事例とともに販売戦略を支援する販売戦略支援システムと、その販売戦略を店舗展開として実現するための店頭販売支援システムと、店頭と連動した広報を行うための広報支援システムにより、効率的で効果的に、販売戦略の立案から、販売活動、広報活動を統合的に支援することを実現する。
【発明の詳細な説明】
【技術分野】
【０００１】この発明は、小売等における販売戦略および、その支援に関する。
【背景技術】
【０００２】  小売等において、店頭でのセール企画等の販売戦略は、担当者の経験則などに頼った企画の立案や商品の展開を行ってきた。近年はＰＯＳレジ等の普及により、過去のデータを参考とすることが出来るようになった。
【発明の開示】
【発明が解決しようとする課題】
【０００３】  しかしながら、以上の技術によれば、小売等とメーカー等との情報の共有化ができず、協働した活動による有効な販売戦略をとることが困難である。
そこで、この発明は、日々追加更新される売上データを公開することにより、小売とメーカー等が情報を共有化し、分析することにより、過去の実績に基づいた販売戦略を効率よく、効果的に協働して立案することを支援し、且つそれらを知財として蓄積し、その情報を店頭での展開や広報活動に有効活用することを課題とする。
【課題を解決するための手段】
【０００４】  以上の課題を解決するために、第一発明は、店舗から日々追加・更新される売上データを集計・蓄積し、その集計結果を売上分析に有効なデータとして変換・加工し、データベースに蓄積し、インターネット上でダウンロード可能なデータとして公開することにより、情報の共有化を図るためのＰＯＳデータ開示システムである。
また、第二発明は、公開されたＰＯＳ情報を小売等とメーカー等で共有し、双方で分析を行うことにより立案した販売戦略を、小売等とメーカー等で共有し、また知財データとしてデータベースを構築し、この情報を店頭担当者、広報担当者等に公開することにより、効率的な販売活動と広報活動を支援することを実現する。
【発明の効果】
【０００５】第一発明、または第二発明によれば、小売等において、メーカー等と協働した販売戦略の立案から、知財データとして蓄積し、販売活動、広報活動等まで有効に利用することが可能である。
【発明を実施するための最良の形態】
【０００６】  この発明の一実施形態を図１、図２、図３に示す。
販売企画立案・提案：販売企画の立案に際して、これまでは担当者レベルでの経験則に基づくものであったが、ＰＯＳデータの開示により、過去のデータに基づいた企画提案を行うことが可能である。
図１は、ＰＯＳデータ開示のシステム図である。小売店鋪のＰＯＳ端末から店内のネットワークを介して店舗サーバに店舗ごとの売上データを蓄積する。蓄積された店舗ごとの売上データは、ネットワークＣを介し本部サーバに蓄積する。この売上データを、売上分析に有効なデータに変換および加工をしてＷＥＢサーバ上に蓄積、公開する。ＰＯＳデータ開示システムの利用者はインターネットを介して、売上データを閲覧し、分析に役立てることができる。
図２はこの発明の一実施形態の流れ図である。
ＭＤ企画立案・提案：販売戦略支援システムＡにより、ＰＯＳデータや過去のＭＤ事例を参照し、分析して、販売企画立案・提案する。
商談：メーカー等と小売等との商談の際にも、過去の販売企画事例およびＰＯＳデータの活用が採否の根拠となる。
商品の店舗展開計画：商品の導入時期、価格、棚割などの店舗展開計画も過去の事例やデータに基づいて作成される。また、広報支援システムＢにより、店舗展開計画に基づき注力商品などの情報を、店舗での売り場展開と連動した情報として消費者に告知することにより、販売促進に役立てることが可能である。
店舗展開：店頭販売支援システムＣにより、販売企画にそって、店頭の棚づくり、商品陳列、棚管理等の業務を行う。また、メーカー等や小売等の担当者は業務状況を共有することができる。
ＰＯＳ分析・状況把握：店舗展開以降、販売戦略支援システムＡにより、対象商品のＰＯＳデータを分析し、状況を把握する。これによりその施策が知財データとして蓄積される。販売事例の作成：販売戦略支援システムＡにより、企画立案の経緯や計画、店舗展開、ＰＯＳ検証を通じて販売事例や知財として蓄積する。
図３はこの発明の一実施形態を示す流れ図である。
ＰＯＳ端末からＰＯＳサーバに蓄積されたＰＯＳデータ、および過去のＭＤ事例を、インターネットを通じてメーカー等に開示する。メーカー等ではＭＤ企画に立案に際して、この情報を参照する。立案されたＭＤ企画は小売等の販売に提案され、知財として蓄積される。この提案をもとに商談が行われ、採用になった企画に対して店舗展開計画がたてられ、店舗展開が実施される。この情報に基づき、消費者に向けた商品告知を行い、また、店舗展開を支援することにより、消費者の購買意欲を促す。消費者の購買行動はＰＯＳデータとして蓄積され、ＰＯＳデータとしてさらに蓄積する。この情報をもとにＭＤ事例の成否を分析し、ＭＤ事例結果をさらに知財として蓄積する。【０００７】「実施形態の効果」
この実施形態によれば、消費者の購買行動であるＰＯＳ情報と販売戦略の事例である知財の活用と蓄積を、無限ループ的に繰り返し実現することが可能である。これにより、小売等において効果的な販売戦略を実現することが可能であるとともに、販売や広報の実施に際しても効率的な取り組みが可能となる。
【図面の簡単な説明】
【０００８】
【図１】この発明のうちＰＯＳデータ開示の一実施形態を示すシステム図である。
【図２】この発明の一実施形態を示す流れ図である。
【図３】この発明の一実施形態を示す流れ図である。
【図１】
2007102745.tif 000003
【図２】
2007102745.tif 000004
【図３】
2007102745.tif 000005
(57)【要約】【課題】現在はすでに販売された容器は再利用しにくい状況です。また、容器の再資源化はされていますが、そのためにもエネルギーが必要です。地球を温暖化させないために、エネルギー消費を減らしたほうがいいです。【解決手段】容器に再び商品を充填できる自動販売機を生産する事で、容器の再利用を促進します。商品の値段も安くできるはずです。また、戸外で洗浄していない容器を再利用する場合を想定して、消毒殺菌液の注入を可能にし、その捨て口を装備します。【選択図】図１
2007102739.tif 000002
【特許請求の範囲】
【請求項１】
次の機能を持った自動販売機。容器の注入口を置く位置を示す適度な太さの光線を出す。光線は注入口があるべき位置を鉛直に通る。客はその光線に合わせて容器の注入口を置く。
【請求項２】
自動販売機の決められた位置に置かれた容器の注入口に適量の消毒殺菌液を注入する機構。
【請求項３】
自動販売機の決められた位置に置かれた容器の注入口に液体や顆粒物などを注入する機構。
【請求項４】
ある商品（Ａとする）だけなら有料だが、連続して別の商品を買った場合は商品Ａを無料または安くするように商品代金を割引く機能をコンピューターで実現した自動販売機。
【請求項５】
消毒殺菌液や飲み残しを捨てる小さな捨て口を装備した自動販売機。
【発明の詳細な説明】
【技術分野】
【０００１】本製品は自動販売機による容器の再利用を可能にする。
【背景技術】
【０００２】従来は容易に自動販売機で容器の再利用ができなかった。
【発明の開示】
【発明が解決しようとする課題】
【０００３】販売された容器が再利用できなかった。【０００４】洗ってない容器を再利用したい。
【課題を解決するための手段】
【０００５】自動販売機に次の機能を持たせる。容器の注入口を置く位置を示す光線を出す。光線は注入口がくるべき位置を鉛直に通る。客はその光線に合わせて容器を置く。自動販売機には、客に容器の注入口を光線に合わせて置いたか、確認の音声を出させる。【０００６】自動販売機の決められた位置に置かれた容器に消毒殺菌液を注入する装置。客は容器を閉じた後、容器を振り、消毒殺菌液を捨てる。客がまた容器を光線に合わせて置き、ボタンを押せば商品が充填される。なお、消毒殺菌液のみでは有料だが、連続で商品を買った場合に代金を割引く機能を持たせる。
【発明の効果】
【０００７】容器の再利用が容易になる。資源の節約になる。
【発明を実施するための最良の形態】
【０００８】図１の自動販売機に客がお金を入れると光線が照射され、それに合わせて容器の注入口を置く。消毒殺菌液のボタンを押せば注入される。客が容器にフタをして振り消毒殺菌液を捨て口に捨てる。また、容器の注入口を光線に合わせて置き、商品のボタンを押すと充填される。客は容器にフタをして、持ってかえる。
【図面の簡単な説明】
【０００９】
【図１】自動販売機の正面からの図
【図１】
2007102739.tif 000003
(57)【要約】【課題】従来の鎮痛・消炎用塗り薬又は貼り薬は、いずれも使い捨てで繰り返し使用できず、また直接肌に塗ったり貼り付けたりするため肌への負担が解消できなかった。【解決手段】木綿生地などの袋に詰めた焼き塩を電子レンジで加熱・乾燥させたものを、それぞれの部位に適合する形状の装着具に設けたポケットに差し入れて使用する。【選択図】図５
2007105075.tif 000002
【特許請求の範囲】
【請求項１】
天然の焼き塩を木綿生地の袋状容器に入れて電子レンジで加熱後に患部に当てて使用する焼き塩パック
【請求項２】
天然の焼き塩を木綿生地の袋状容器に入れて電子レンジで加熱後に患部に当てて使用する焼き塩パックを、鼻と口「図１」・喉と気管「図２」・肩「図３」・背中「図４」・下腹と腰「図５」・肘「図６」・手首「図７」・膝「図８」および足首「図９」などの人体の各部位にフィットするように形作った布製の装着具に設けたポケットに挿入して使用するようにした焼き塩パックのセット
【発明の詳細な説明】
【技術分野】
【０００１】
本発明は、焼き塩を木綿生地に入れて肩凝りなどの症状を和らげるためのパックに関するものである。
【背景技術】
【０００２】
喉の痛みや肩凝り・腰痛などを和らげるための塗り薬や張り薬などは多種多様のものが実用され知られている。
【０００３】
しかし、殆んどのものが直接肌に塗り又は貼って使用するため肌に対する刺激などの負担が発生しやすい。
【０００４】
またいずれも使い捨てになっていて繰り返し使用できるものが無い。
【特許文献１】実開昭６３−１３３２１３号公報
【特許文献２】実開平６−１０３２１号公報
【発明の開示】
【発明が解決しようとする課題】
【０００５】
従来の鎮痛・消炎用塗り薬又は貼り薬は、いずれも使い捨てで繰り返し使用できず、また直接肌に塗ったり貼り付けたりするため肌への負担が解消できなかった。
【課題を解決するための手段】
【０００６】
本発明は、木綿生地などの袋に詰めた焼き塩を電子レンジで加熱・乾燥させたものを、それぞれの部位に適合する形状の装着具に設けたポケットに差し入れて使用する。
【発明の効果】
【０００７】
本発明の焼き塩パックは、肌に優しい木綿生地と自然の恵みの焼き塩を使用することにより肌に対する負担が少なく、また木綿生地などの袋に詰めた焼き塩を電子レンジで加熱・乾燥させて使用するので繰り返し使用できて環境にも優しいという効果がある。
【発明を実施するための最良の形態】
【０００８】
鼻と口「図１」、喉と気管「図２」、肩「図３」、背中「図４」、下腹と腰「図５」、肘「図７」、手首「図８」、膝「図９」および足首「図１０」などに焼き塩パックを当てられるように形作った布製の装着具を用意し、必要な部位にフィットする装着具に設けられたポケットに電子レンジで加熱処理した焼き塩パックを挿入して使用するようにした。
焼き塩は海水から作られた天然の塩を焼いたものを使用し、焼き塩パックの袋は電子レンジで過熱しても変質しにくい木綿生地製とし、この焼き塩パックを装着するための装着具も肌に優しい木綿生地などの布製又は紙製のものを使用する。また焼き塩パックの大きさ・形状は使用する部位に合わせて数種類用意する。
【実施例１】
【０００９】
図１は、本発明を鼻と口の部位に適用する場合の１実施例を示す概要図である。通常のマスクに焼き塩パックを挿入するポケットを設けた例である。
【００１０】
図２は、本発明を喉と気管の部位に適用する場合の１実施例を示す概要図である。首に巻きつけてマジックテープ（登録商標）で留めるようにした三角巾状のベルトに焼き塩パックを挿入するポケットを設けた例である。
【００１１】
図３は、本発明を肩に適用する場合の１実施例を示す概要図である。洋服の上着の左右の肩パット状の装着具を紐で繋ぎ、左右の腋の下にもそれぞれ紐を掛けて固定する例を示す。
【００１２】
図４は、本発明を肩から背中上部に適用する場合の１実施例を示す概要図である。幅広の装着具を固定する方法は図３の場合とほぼ同じである。
【００１３】
図５は、本発明を腹部と腰部に適用する場合の１実施例を示す概要図である。装着具は図６に示すように幅広の帯状体に腹部（前）用と腰部（後ろ）用のポケットと固定用のマジックテープ（登録商標）を取り付けたものでも良いし、輪状の腹巻様のものでも良い。
【００１４】
図７は、本発明を肘部に適用する場合の１実施例を示す概要図である。装着具は図６の腹・腰部用のものを小型にしてポケットを１箇所にした形状でよい。
【００１５】
図８、図９および図１０は、それぞれ手首、膝および足首に適用する場合の１実施例を示す概要図である。装着具は図７の肘用と同じ構造で大きさを各部位にあわせて調整すればよいが、サイズは２種類用意すれば共用が可能である。
【産業上の利用可能性】
【００１６】
天然の焼き塩を木綿生地の袋状容器に入れた焼き塩パックを人体の各部位にフィットするように形作った布製の着脱自在な装着具に設けたポケットに挿入して使用するようにしたので、患部に最適な形状の装着具のポケットに、必要な時に電子レンジで加熱した焼塩パックを挿入して繰り返し手軽に使用することができる。
【図面の簡単な説明】
【００１７】
【図１】本発明を鼻と口の部位に適用する場合の１実施例を示す概要図
【図２】本発明を喉と気管の部位に適用する場合の１実施例を示す概要図
【図３】本発明を肩に適用する場合の１実施例を示す概要図
【図４】本発明を肩から背中上部に適用する場合の１実施例を示す概要図
【図５】本発明を腹部と腰部に適用する場合の１実施例を示す概要図
【図６】腹・腰用の装着具の１実施例を示す概要図
【図７】本発明を肘部に適用する場合の１実施例を示す概要図
【図８】本発明を手首に適用する場合の１実施例を示す概要図
【図９】本発明を膝に適用する場合の１実施例を示す概要図
【図１０】本発明を足首に適用する場合の１実施例を示す概要図
【符号の説明】
【００１８】
１            焼塩パック
２ａ〜２ｉ    装着具
３ａ〜３ｉ    ポケット
４ａ〜４ｂ    マジックテープ（登録商標）
【図１】
2007105075.tif 000003
【図２】
2007105075.tif 000004
【図３】
2007105075.tif 000005
【図４】
2007105075.tif 000006
【図５】
2007105075.tif 000007
【図６】
2007105075.tif 000008
【図７】
2007105075.tif 000009
【図８】
2007105075.tif 000010
【図９】
2007105075.tif 000011
【図１０】
2007105075.tif 000012
(57)【要約】【課題】喫煙者本人の健康はもとより、第三者への受動喫煙及び周囲の環境汚染を軽減するために、煙のでないたばこフィルターを提供する。【解決手段】Ｕチューブ形ＨＥＰＡフィルター１で比較的大きな粒子状物質を衝突除去し、未処理の微細粒子を連層した円形単板ＨＥＰＡフィルター３で、拡散除去するとともに、Ｕチューブ形ＨＥＰＡフィルター１に充填した微粉活性炭２で、まろやかで旨味のある構造としたたばこフィルター。【選択図】  図１
2007105022.tif 000002
【特許請求の範囲】
【請求項１】
たばこフィルターに微粉活性炭を充填したＨＥＰＡフィルターを設けたことを特徴とする。
【請求項２】
請求項１記載のＨＥＰＡフィルターは、粒子吸着用の２連式Ｕチューブ形ＨＥＰＡフィルターと、減煙調節用の円形単板ＨＥＰＡフィルターからなる２段方式としたことを特徴とする。
【発明の詳細な説明】
【発明の詳細な説明】
【技術分野】
【０００１】本発明は、喫煙者の体内に吸引される有害物質を軽減するとともに、第三者への受動喫煙及び周囲の環境汚染を軽減できるようにしたものである。
【背景技術】
【０００２】従来は、たばこフィルターにＨＥＰＡフィルターを採用したものはなかった。
【発明が解決しようとする課題】
【０００３】健康増進法の施行にともない、喫煙者本人の健康はもとより、第三者への受動喫煙による健康被害が大きな社会問題となっている。
本発明は、これらの課題を解消するためになされたものである。
【課題を解決するための手段】
【０００４】微粉活性炭２で、ニコチンなどの揮発性ガスを吸着し、Ｕチューブ形ＨＥＰＡフィルター１でタールなどの粒子状物質を除去した後、円形単板ＨＥＰＡフィルター３で未処理の煙を調節・除去することにより、ほとんど煙のでないたばことした。
【発明の効果】
【０００５】以下、本発明の形態について説明する。
（イ）Ｕチューブ形ＨＥＰＡフィルター１に微粉活性炭２を充填し２連にして、プレフィルター４と両面接着テープ７で接続する。
（ロ）円形単板ＨＥＰＡフィルター３を複数枚連層し、アフターフィルター５と両面接着テープ７で接続する。
（ハ）上記（イ）と（ロ）を、たばこフィルター外装紙９でのり付け接続する。
（ニ）上記（ハ）で一体となったたばこフィルターとたばこ本体外装紙８をたばこ吸口外装紙１０でのり付け接続する。
【発明の効果】
【０００６】喫煙テストでは、円形単板ＨＥＰＡフィルター３を４枚連層した場合では、従来のたばこよりまろやかで旨味のある喫煙味を得られたが、煙の目視及びアフターフィルター５での比色は、従来のたばこより約６０〜７０％の減少にとどまったが、７枚連層することにより、喫煙味は多少減少するものの、喫煙途中までは煙の目視はできず、後半以降にわずかの煙を目視し、アフターフィルター５での比色は中央部で変色なし、周囲部でわずかな変色がみられる程度に改善され、ほとんど煙のでないたばこが実現した。
【図面の簡単な説明】
【図１】本発明の断面図である。
【図２】本発明のＵチューブ形ＨＥＰＡフィルター１の要領図である。
【符号の説明】
１    Ｕチューブ形ＨＥＰＡフィルター
２    微粉活性炭
３    円形単板ＨＥＰＡフィルター
４    プレフィルター
５    アフターフィルター
６    たばこ本体
７    両面接着テープ
８    たばこ本体外装紙
９    たばこフィルター外装紙
１０  たばこ吸口外装紙
【図１】
2007105022.tif 000003
【図２】
2007105022.tif 000004
(57)【要約】【課題】家屋の取り壊しなどで必ず発生する古畳は嵩張る上に燃え難く、廃材としての処分が困難であり、現状では廃棄処分の費用を払って専門の廃材処理業者に委託せざるを得ず、また廃材として処理する場合の方法の多くは焼却処分であるが、焼却による煙害・温暖化公害などの問題がある。  有効利用の方法としては破砕した上に発酵熟成させて肥料とする提案も成されているが、特殊な工程が必要とされることから費用対効果の点で問題がある。一方、都市部における大気汚染やヒートアイランド現象などの環境問題を解決する手段として屋上緑化が行われるようになり、人口土壌の提案が数多く見られるが、構造的に複雑なものが多くこれらも費用対効果の点では問題がある。【解決手段】建築廃材として廃棄される古畳を人口土壌の素材として活用するものである。【選択図】          図１
2007105023.tif 000002
【特許請求の範囲】
【請求項１】
畳床の表面に畳床の厚さ方向に向けた穴を穿け、屋上緑化などの下地の上に敷き詰め、前記穴に培養土などの土を充填したことを特徴とする人口土壌。
【請求項２】
表面に穿けられた穴が市松状に配列してなる請求項１の人口土壌。
【請求項３】
培養土を充填する穴の底部に土の流出阻止手段を備えてなる請求項１の人口土壌。
【発明の詳細な説明】
【技術分野】
【０００１】本発明は古畳を利用した人口土壌に関するものである。
【背景技術】
【０００２】
【特許文献１】特開平１１−２２８２６８号公報
【特許文献２】特開２００３−０６１４５７号公報
【発明の開示】
【発明が解決しようとする課題】
【０００３】家屋の取り壊しなどで必ず発生する古畳は嵩張る上に燃え難く、廃材としての処分が困難であり、現状では廃棄処分の費用を払って専門の廃材処理業者に委託せざるを得ず、其の委託費用は畳一枚当たり約２０００円と言われている。  廃材として処理する場合の方法の多くは焼却処分であるが、焼却による煙害・温暖化公害などの問題があり。  有効利用の方法として、特許文献１のごとく破砕した上に発酵熟成させて肥料とする提案も成されているが、特殊な工程が必要とされることから費用対効果の点で問題がある。
一方、都市部における大気汚染やヒートアイランド現象などの環境問題を解決する手段として屋上緑化が行われるようになり、様々な提案が成されており、例えば特許文献２のごとく人口土壌の提案が数多く見られるが、構造的に複雑なものが多くこれらも費用対効果の点では問題がある。
【課題を解決するための手段】
【０００４】上記課題を解決するために、本発明の提案は建築廃材として廃棄される古畳を人口土壌の素材として活用するものである。
【発明の効果】
【０００５】本来は廃材として廃棄される古畳を人口土壌の素材として活用するので、材料費は殆ど発生しない上にきわめて簡便に植栽用の人口土壌を作ることができ、コストや施工の手間の面で、屋上緑化だけでなく荒地の表面を緑化する場合にもきわめて有効である。
【実施例１】
【０００６】以下、図面によりこの発明の実施例を説明する。
図１は本発明の実施例１による古畳を利用した人口土壌の構造説明の斜視図である。
すなわち、畳表と布縁を取り除いた畳床１の表面に図２のごとく市松状に配列した直径約１０センチメートルの穴２を厚さ方向に穿ける、穴の配列を畳目に直角な格子状にすると畳床の藁や綴じ糸を分断してしまい畳床が分解してしまうので、市松状配列のような畳床が分解しない配列は本発明の用件の一つである。  穴を穿けた状態の畳床を下地３の上に、必要な面積に敷き詰める。  下地は屋上緑化の場合は水周りの養生を施した屋上の表面であり、荒地緑化の場合は適宜平坦化した表土であり、用途に応じて任意である。  穴の形状は円形に限らず四角でも良く、また市松状配列の間隔は植栽の種類のより適宜に定められる。  市松状に配設された穴に培養土などの土４を充填し畳全体を人口土壌６とする。このように構成された人口土壌は、畳床の保水性により穴に充填された土の水分蒸散を防ぎ、更に植栽の生育に伴い伸張する根を受け入れ、穴に充填された土と一体化して土壌を構成する。
【実施例２】
【０００７】穴に充填された培養土などの土の流出を防ぐために、図３のごとく必要に応じて穴の底部にネット状の流出防止手段を附設することも有効である、土流出防止手段としては穴の底部に砕石を敷いたり、畳の穴を底部まで貫通させずに若干の厚さ分だけ底部を残した穴を穿ける方法も可能である。
このように本発明によれば極めて簡便な加工と現場施工により人工土壌が実現される。
【図面の簡単な説明】
【０００８】
【図１】本発明の実施例１による人工土壌の斜視図
【図２】本発明の実施例１による人工土壌の平面図
【図３】本発明の実施例２による人工土壌の断面図
【符号の説明】
【０００９】１  畳床
２  穴
３  下地
４  土
５  流失防止手段
【図１】
2007105023.tif 000003
【図２】
2007105023.tif 000004
【図３】
2007105023.tif 000005
(57)【要約】【課題】  もぐらは通り道である穴の中に障害物があると、それを排除しようとして懸命に動く。この習性の利用で、もぐらが容易に捕獲器の空洞の中に入ってその障害物を押しながら前進する。この習性と動力を利用した設置が簡単で生きたまま捕獲できるもぐら捕獲器を提供する。【解決手段】  多面球の物体（９）をもぐらの穴に入れることにより、通る穴以外の他の空洞にはなかなか入ろうとしないもぐらを、その物体（９）の除去に集中させることにより、ケース（１）の中に進入させることができる。そして、もぐらがその物体（９）を押しながら前進して連結針金（４）が作動して進入口（７）を塞ぎ逃げられなくなるように構成したことを特徴とする。【選択図】  図１
2007105024.tif 000002
【特許請求の範囲】
【請求項１】
もぐらの穴にもぐらにとって障害になる物体（９）を入れて、もぐらが物体（９）を除去しようとして押しながら前進し、ケース（１）の中に入り、もぐらが押したその物体（９）で連結針金（４）が押されて作動して進入口（７）を塞ぐことを特徴とするもぐら捕獲器。
【発明の詳細な説明】
【技術分野】
【０００１】    この発明は、もぐらが自分のつくった穴以外の空洞には容易に入ろうとしないが、異物を穴の中に入れるとそれを除去しようとして押しながら前進し、ケースの中に入って前進することを発見し、連結針金が作動して進入口を塞ぐ仕組みのもぐら捕獲器に関するものである。
【背景技術】
【０００２】    従来、円筒型の捕獲器はあるが、仕掛けがつり下がっていたりするため警戒してなかなか捕獲器の中に入ろうとしない。
【発明の開示】
【発明が解決しようとする課題】
【０００３】    もぐらの被害は、農作物や芝生にとって深刻である。もぐらは自分のつくった穴以外の空洞には警戒して中に入ろうとしない。本発明は、これらの問題点を解決するために発明されたものである。
【課題を解決するための手段】
【０００４】    もぐらの穴に、多面球の物体（９）を差し込む。そのもぐらの穴に密着して据え置くもぐら捕獲器は、片方を開放口にして、反対側は塞いだつくりで、ストッパー（６）をとりつけたケース（２）を直立にした構造で、その中にチューブ（３）を連結針金（４）で仮止めする。連結針金（４）の反対側の先端部は、ケース（１）の切り込みより中にＬ型に折り込む。以上の構成よりなるもぐら捕獲器である。
【発明の効果】
【０００５】    もぐらは、自分の通り穴以外の空洞には、入ろうとしない。そこで、そのもぐらの穴に多面球などの物体を入れると、その障害物となる物体を除去しようとして押しながら前進して捕獲器の中に入る。そして押してきた物体が連結針金を動かして、進入口を塞ぐ仕組みの非常に設置の簡単なもぐら捕獲器である。
【発明の実施するための最良の形態】
【０００６】    以下、本発明の実施するための最良の形態を説明する。
【０００７】    もぐらが通る穴の中にある障害物である多面球の物体（９）を除去しようとして、前に押して進み、その物体（９）がケース（１）のＬ型の連結針金（４）を押すことにより、チューブ（３）がはずれて落下して進入口（７）を塞ぐ部品を装着したもぐら捕獲器である。
【０００８】    もぐらの穴に差し込む多面球の物体（９）は、もぐらの穴よりも小さい直径３センチから４センチのケース（１）に入るもので、捕獲器本体は樹脂または鉄鋼、木材など壊れにくいものである。
【０００９】    多面球の物体（９）を押して入ってくるケース（１）は、進入口（７）を開放口にして、反対側は外気を取り入れるため数個の穴が開いて、多面球の物体（９）がケース（１）の外にでないように板状（８）のもので塞いだつくりとする。
【００１０】    円筒形ケース（１）の進入口（７）側に、もぐらが出られないようにストッパー（６）を装着したケース（１）と同じ大きさの直立の円筒型ケース（２）をもうけ、その中にチューブ（３）を入れて、それを連結針金（４）で仮止めできるつくりとする。
【００１１】    連結針金（４）の片方の先端部は、ケース（１）にあけた細長い穴の中に入るようにＬ型に折り込んで、もぐらが多面球の物体（９）を押しながら前進してＬ型の部分を押すと、チューブ（３）を仮止めしている連結針金（４）がはずれてチューブ（３）が落下するつくりとする。
【００１２】    以下、本発明の使用方法を説明する。もぐらの穴の断面をだして、ケース（１）が水平に置けるように土を整えて、もぐらの穴に多面球の物体（９）を差し込み、ケース（１）に装着した連結針金（４）の進入口（７）側の先端をチューブの穴（５）に差し込んで、直立ケース（２）の中にチューブ（３）を仮止めし、多面球の物体（９）を差し込んだもぐらの穴に進入口（７）を密着させケース（１）を設置し、ケース（１）が動かないように、その左右の下半分に土砂を押し込む。
【実施例】
【００１３】    もぐらの穴に差し込む物体（９）の形状は、円球、多面球、円筒形、長方形等数多くのものが考えられ、その物体を受け入れてもぐらを捕獲するケース（１）の形状も数種類のものが考えられる。【００１４】    図４に示すように、進入口（７）を塞ぐ仕組みは蓋（１０）や板によるもの等、他の形態もとることができる。
【図面の簡単な説明】
【００１５】
【図１】  本発明の斜視図である。
【図２】  本発明の背面図である。
【図３】  本発明のチューブと連結針金の斜視図である。
【図４】  本発明の他の実施例を示す斜視図である。
【図５】  本発明の多面球の物体の平面図である。
【符号の説明】
【００１６】１  ケース
２  直立ケース
３  チューブ
４  連結針金
５  チューブの穴
６  ストッパー
７  進入口
８  閉板
９  多面球
１０  蓋
【図１】
2007105024.tif 000003
【図２】
2007105024.tif 000004
【図３】
2007105024.tif 000005
【図４】
2007105024.tif 000006
【図５】
2007105024.tif 000007
(57)【要約】【課題】板状のものを、棒状にしまうことが出来れば、物をよりコンパクトに収納することが出来る。【解決手段】細い帯をハニカム上に繋ぎ合わせ、最初の帯と最後の帯を円筒状に繋げることによって円盤に変形する円筒が出来上がる。【選択図】  図１
2007105099.tif 000002
【特許請求の範囲】
【請求項１】
円筒状にハニカムを組むことで、円筒型から円柱型、円錐型、円盤型を自由に変形する機構
【発明の詳細な説明】
【技術分野】
【０００１】
本発明は、軟性を持った素材によって出来る、円筒形、円盤形、円錐形、円柱形の間を変形する構造機構の発明である。
【背景技術】
【０００２】
帯状のペーパーハニカム等、帯状の軟質素材で作ったハニカム構造を円筒状に繋ぎ加工することによって実現できる。
【発明の開示】
【発明が解決しようとする課題】
【０００３】
板状のものを、棒状にしまうことが出来れば、物をよりコンパクトに収納することが出来る。
【課題を解決するための手段】
【０００４】
細い帯をハニカム上に繋ぎ合わせ、最初の帯と最後の帯を円筒状に繋げることによって円筒から円盤に変形する構造体が出来上がる。
【発明の効果】
【０００５】
大きな円形の平面を細い棒状にしまうことが出来る上に、平面化した状態は変形したハニカム構造を持つため、垂直方向の強度が非常に高い。
【発明を実施するための最良の形態】
【０００６】
なべ敷き、食器、座布団等、日常で使用される平面状のもので、この発明の構造が適用可能なもの。従来は大きく収納を要するものでありながら、この構造を利用することでコンパクトな収納が可能になるものであると最良。
【図面の簡単な説明】
【０００７】
【図１】機構の変形を示したアクソメ図である。
【図２】円盤状の状態を示した平面図である。
【図１】
2007105099.tif 000003
【図２】
2007105099.tif 000004
(57)【要約】【課題】  健康野菜と言われるヤーコンは、料理の食材として利用されてきたが、気軽に食べられるようにドライフルーツ風乾燥ヤーコンとして作る。【解決手段】  ヤーコンの皮を剥き、冷凍凍結させ、解凍乾燥させて、ヤーコンの成分を損なうことなく凝縮させた乾燥ヤーコンを特色とする。【特許請求の範囲】
【請求項１】
ヤーコンを冷凍凍結させ、それを解凍し、乾燥させる。
以上の工程で作った乾燥ヤーコン。並びに本素材を使って作る二次製品。
【発明の詳細な説明】
【技術分野】
【０００１】  この発明は、ヤーコンの皮を剥き、冷凍凍結し、解凍して乾燥させ、乾燥ヤーコンを作るものである。
【背景技術】
【０００２】  ヤーコンは、栽培・貯蔵の場合でも霜害などで凍ると、腐るとされている。
ヤーコンは、野菜として料理の食材に利用される面が多かった。
【発明の開示】
【発明が解決しようとする課題】
【０００３】  ヤーコンは、霜害などに弱く、凍ると腐ってしまった。
ヤーコンは、一般には料理の食材として利用されていた。
本発明は、以上のような概念を払拭し、気軽に食することができるようにしたものである。
【課題を解決するための手段】
【０００４】  ヤーコンの皮を剥き、敢えて冷凍凍結させ、解凍し、乾燥させた。
本発明は、上記の工程を経てドライフルーツ風乾燥ヤーコンを作るものである。
【発明の効果】
【０００５】  ヤーコンを冷凍凍結させ、成分を損なうことなく乾燥凝縮して、料理の食材とされていたものを、ドライフルーツ風乾燥ヤーコンとして気軽に食べられるようにした。
【発明を実施するための最良の形態】
【０００６】  以下、本発明を実施するための最良の形態について説明する。
ヤーコンの皮を剥いて冷凍凍結させ、それを解凍し、乾燥させる。
本発明は、以上のような工程である。
このことによって、健康野菜と言われるヤーコンを料理の食材としてのみでなく、気軽に食することができるドライフルーツ風乾燥ヤーコンとした。